(57)【要約】  【課題】  Ｌ形引っ掛け金具にストッパー及び滑り止め機能を持たせ、円状の測定ポイントをもつ測定対象物を測定する時でも、手際よく測定できるようにする。  【解決手段】  Ｌ形引っ掛け金具３の垂直ストッパー部分に伸縮性を有する軟性の滑り止め部材４を被覆する。この場合、ストッパー部分の底から軟質の滑り止めの樹脂チップを伸ばしてもよい。またストッパー部分の底からチップ状の伸縮部分を伸ばして、ストッパー部分と伸縮部分の内側もしくは内、外両側に伸縮性を有する軟性の滑り止め部材を被せて複合層としてもよい。【選択図】  図１
2005114703.tif 000002
【特許請求の範囲】
【請求項１】
巻尺本体から伸縮される巻尺テープの先端に、前記巻尺テープの上からＬ形引っ掛け金具の水平面が付けられるとともに、必要に応じてテープの下にシムが付けられ、これらが固定手段で結合される巻尺テープの引っ掛け構造において、
前記Ｌ形引っ掛け金具に、伸縮性を有する軟性の滑り止め部材が被覆されたことを特徴とする巻尺テープの引っ掛け構造。
【請求項２】
滑り止め部材にＬ形引っ掛け金具から突出する滑り止め部材の延長部分を具備する請求項１に記載の巻尺テープの引っ掛け構造。
【請求項３】
Ｌ形引っ掛け部材から伸縮部分が延ばされ、該伸縮部材は滑り止め部材が被覆されて複合層として形成される請求項１に記載の巻尺テープの引っ掛け構造。
【発明の詳細な説明】
【技術分野】
【０００１】
本発明は、円形の測定ポイントなど巻尺テープの引っ掛け金具を固定しにくい測定ポイントの長さの測定に使用する測定工具を適用対象とし、特に、巻尺テープの引っ掛け構造に関する。
【背景技術】
【０００２】
図３３に従来の巻尺テープの引っ掛け構造を示している。従来の巻尺テープ９２（以下、単にテープ９２という。）は冷間加工の金属薄板で出来ており、その末端部分にＬ形引っ掛け金具９１が固定されている。引っ掛け金具９１の水平面はテープ９２の上に位置して、テープ９２の下の補強用シム９３と共にリベットで締結され、引っ掛け金具９１の垂直面を測定対象物の基準点（面）に引っ掛けるようになっている。測定対象物を測定する時は、既述のとおり、引っ掛け金具９１の垂直部分を測定対象物の基準点に引っ掛けるが、この基準点が斜面、円形、球面といった普段よく見られるような円形パイプ、円形デスクコーナー、円形壁際、彎曲状物などの場合は、引っ掛け金具９１は固定しにくく、スライドして外れやすくなるため、測定対象物を確実に測定することができない。また、測定中にテープ９２が揺れ動くと、固定された引っ掛け金具９１が滑って取れてしまうことがある。これ以外にも、基準点が平滑面の場合には引っ掛け金具９１が滑り易い。
【０００３】
そこで、このような不具合に対処するため、従来から、図３４または図３５に示すようなアイデアが提案されている。図３４のアイデアの場合、引っ掛け金具９１の末端部分に引っ掛けフック９４を追加し、引っ掛け金具９１を測定対象物に容易に固定できるようにしている。また図３５のアイデアの場合、引っ掛け金具９１に定位釘９５を併せて使用し、引っ掛け金具９１を測定対象物に容易に固定できるようにしている（例えば、特許文献１参照。）。
【特許文献１】特開平８−３５８０２号公報
【発明の開示】
【発明が解決しようとする課題】
【０００４】
しかしながら、上記従来の巻尺テープの引っ掛け構造では、適用範囲に限界があり、引っ掛け金具９１に引っ掛けフック９４を設けた場合、引っ掛けフック９４は基準点に凹みがある状態でしか利用することができない、また引っ掛け金具９１を定位釘９５を使って固定する場合は、木質の測定対象物にしか適用できない、さらに仮にこれら２つの条件を除外したとしても、円形の測定対象物を測定することはできない、という課題があり、いずれにしても、従来の巻尺テープの引っ掛け構造では、引っ掛け金具９１の滑落問題を解決することは不可能である。
【０００５】
本発明は、このような従来の課題に鑑み、巻尺テープの引っ掛け構造における新しい構造を提供しようとするもので、引っ掛け金具にストッパー及び滑り止め機能を持たせ、円状の測定ポイントをもつ測定対象物を測定する時でも、手際よく測定できるようにすることを、目的とする。
【課題を解決するための手段】
【０００６】
上記課題を解決するために、本発明の巻尺テープの引っ掛け構造は、巻尺本体から伸縮される巻尺テープの先端に、軟性滑り止め引っ掛けチップが固定されたもので、この軟性滑り止め引っ掛けチップは、Ｌ形引っ掛け金具と、Ｌ形引っ掛け金具の垂直面に被覆される伸縮性を有する軟性の滑り止め部材と、必要に応じてシムとを備え、巻尺テープの上からＬ形引っ掛け金具の水平面が付けられるとともに、必要に応じてテープの下にシムが付けられ、これらが固定手段で結合される。この場合、滑り止め部材にＬ形引っ掛け金具から突出する滑り止め部材の延長部分が具備されてもよい。また、Ｌ形引っ掛け部材から伸縮部分が延ばされ、該伸縮部材は滑り止め部材が被覆されて複合層として形成されてもよい。
【発明の効果】
【０００７】
本発明の巻尺テープの引っ掛け構造は、上記構成により、軟性滑り止め引っ掛けチップを測定対象物に当てた時に、Ｌ形引っ掛け金具の垂直面と測定対象物との間に滑り止め部材が存在するため、軟性滑り止め引っ掛けチップが引っ張られると、その垂直面は滑り止め部材を押さえて正面圧力が発生し、滑り止め部材と測定対象物との間に滑り止め作用が働く。これにより、測定物の測定時に、軟性滑り止め引っ掛けチップが測定物に対してスライドすることがなく、測定物に対する巻尺テープの脱落を確実に防止することができる。このようにして軟性滑り止め引っ掛けチップにストッパー及び滑り止め機能を持たせているので、円状の測定ポイントをもつ測定対象物を測定する時でも、手際よく測定することができ、巻尺テープの引っ掛け構造における新しい構造を提供することができる。
【発明を実施するための最良の形態】
【０００８】
以下、本発明の実施の形態を図面を参照しながら説明する。
【０００９】
（第１の実施の形態）
図1乃至図５に本発明の第１の実施の形態における巻尺テープの引っ掛け構造を示している。図１において、巻尺１０は、巻尺ケース１内から引き出し可能な、伸縮式のメジャー用のテープ２を備え、テープ２の先端に、軟性の滑り止め引っ掛けチップ７が固定されている。
【００１０】
この滑り止め引っ掛けチップ７は、Ｌ形引っ掛け金具３と、Ｌ形引っ掛け金具３の垂直面（即ちストッパー部分）に被せられる伸縮性を有する軟性の滑り止め部材４と、必要に応じてシム６とにより構成され、図２及び図３に示すように、巻尺テープ２の上からＬ形引っ掛け金具３の水平面が付けられるとともに、テープ２の下にシム６が付けられ、これら三者がリベットで一つに締結される。Ｌ形引っ掛け金具３の垂直面に滑り止め部材４を被せたところがこの巻尺テープの引っ掛け構造における主な特徴である。
【００１１】
伸縮性を有する軟性の滑り止め部材４は軟質ビニール層で、伸縮性のある材質で形成され、Ｌ形引っ掛け金具３の形状に合わせて、内層４１、（必要に応じて外層）、両側層４２、底層４３を有し、Ｌ形引っ掛け金具３の垂直面を包み込むようになっている。ここで軟質ビニール層４の材質に合成ゴムまたは天然ゴムなどが採用され、ＰＶＣ、ＴＰＲ、ＴＰＵ、ＴＰＥ、ＰＵ、ゴム、ポリウレタン、シリコン、スポンジ、樹脂、エポキシ系接着剤などが例として上げられる。その伸縮性パラメーターは２０〜８０度の間で、単面厚さは０．１〜５．０ミリの範囲であることが好ましい。ただし、あまりにも粘度の高い粘着材、例えばガム、接着剤といった類は軟質ビニール層４には適用しないものとし、その例外として、粘着材に硬化剤もしくはその他のゴムを混ぜ合わせて硬度を適用範囲まで引き上げた場合は、軟質ビニール層の材料に含まれるものとする。このようにして軟質ビニール層４はストッパーの作用を多少持ち、横向きにひっぱった時には滑り止めとしての抵抗作用が働くように形成されている。
【００１２】
この巻尺１０の滑り止め引っ掛けチップ７では、軟質ビニール層４が予製方式で予め金具カバーとして製作されるため、必要に応じてＬ形引っ掛け金具３に取り付けたり、取り外したりすることが可能である。この金具カバーの場合、引っ掛け金具３の表面全体を完全に包み込むように形成してもよく、図２、図３に示すように、内層４１、両側層４２及び底層４３でＬ形引っ掛け金具３の垂直面を包み、外側（垂直面の外面）だけ露出するようにしてもよい。さらに、その外面露出部分に穴３１を設けることで、図４及び図５に示すように、マグネット８を嵌入することができ、その働きで、引っ掛けチップ７と金属製の測定対象物との間に磁気吸着効果を生ぜしめることができる。
【００１３】
このようにして、図７に示すように、弾力性を有する滑り止め引っ掛けチップ７をデスクコーナー５１に引っ掛けると、軟質ビニール層４のストッパー作用が働き、滑りを防止する。また、滑り止め引っ掛けチップ７はテープ２が上下左右に揺れてもその影響でスライドして脱落することがなく、更にテープ２を斜角に置いて測長しても滑り止め引っ掛けチップ７は滑り落ちたりすることがない。この時の爽み角は約４５°に達することもある。
【００１４】
また、図８に示すように、使用者が天井またはトラスの下を測定する時でも、引っ掛けチップ７を円状の測定基準点５２に引っ掛けておくと、テープ２が引っ張られて上下左右に揺れ動いても、軟質ビニール層４の滑り止め機能が働くため、容易に滑ったりはしない。よって、従来単独では出来なかった測定も、この巻尺テープの引っ掛け構造を利用すれば簡単に測定作業を進めることができる。
【００１５】
このように第１の実施の形態によれば、Ｌ形引っ掛け金具３の垂直面に伸縮性を有する軟性の滑り止め部材（軟質ビニール層）４が被せられることにより、Ｌ形引っ掛け金具３を測定対象物に当てた時に、軟質ビニール層４がＬ形引っ掛け金具３の垂直面と測定対象物との間に存在するため、Ｌ形引っ掛け金具３が引っ張られると、Ｌ形引っ掛け金具３の垂直面は軟質ビニール層４を押さえて正面圧力が発生し、軟質ビニール層４と測定対象物との間に滑り止め作用が働き、円形の測定物でも、測定時のスライドを防止することができる。
【００１６】
(第２の実施の形態)
図６に本発明の第２の実施の形態における巻尺テープの引っ掛け構造を示している。この実施の形態では、軟質ビニール層４は金型成型方式でＬ形引っ掛け金具３の垂直面の外周に被せられている。また、この成形方式に代えて、軟質ビニール層４を引っ掛け金具３の表面に浸漬、塗布、スプレー等の手法を施して、冷却後に被覆形成する方法を採用することもできる。成形後の軟質ビニール層４１に穴３１を貫通して、内層４１、外層４４を一体化させることができる。このほか、Ｌ形引っ掛け金具３の垂直面と軟質ビニール層４との間にＡＢＳ樹脂のような硬質ビニール層（不図示）を挟むことも可能である。このようにしても第１の実施の形態と同様の効果を奏することができる。
【００１７】
(第３の実施の形態)
図９乃至図１３に本発明の第３の実施の形態における巻尺テープの引っ掛け構造を示している。この実施の形態では、軟質ビニール層４の滑り止め効果を上げるため、Ｌ形引っ掛け金具３の垂直面の下から軟質ビニール層４が軟質滑り止めチップ４５として延ばされている。この軟質滑り止めチップ４５は内側に向かってなめらかに彎曲したものが最も好ましい。このようにすることにより、円形の大型対象物を測定することができる。この場合、図１０に示すように、滑り止め引っ掛けチップ７を極大型の円周基準点５３に引っ掛けても、また図１１に示すように、円形測定基準点５２に逆さまから引っ掛けても、軟質ビニール層４及び軟質滑り止めチップ４５の滑り止め作用の働きにより、引っ掛けチップ７が滑落することがない。その他、図１２、図１３に示すように、滑り止め引っ掛けチップ７は球面５４、パイプ状対象物５５を測定の基準点とした時でも、最高の固定性と滑り止め効果を発揮することができる。
【００１８】
このように第３の実施の形態によれば、第１の実施の形態と同様の作用効果を奏し、さらに、軟質ビニール層４の垂直面の底から伸びた部分が軟質ビニール層４と同様の滑り止め性能をもち、これが軟質ビニール層４の延長部分であるため、円形もしくは曲がり具合の大きい対象物を測定する時に、接触面積が比較的大きくなり、より効果的な滑り止め機能を発揮することができる。
【００１９】
(第４の実施の形態)
図１４及び図１５に本発明の第４の実施の形態における巻尺テープの引っ掛け構造を示している。この実施の形態では、軟質ビニール層４の滑り止め効果を上げるため、図１４に示すように、軟質ビニール層４の内層面にエア・スペースの凹み４６が追加されている。また図１５に示すように、軟質ビニール層４の内層面に滑り止めの凸粒子４７を追加してもよく、また凸粒子４７に代えてストライプを付けてもよい。このようにすることにより、第１、第３の実施の形態と同様の効果を奏することができ、特に、軟質ビニール層４と測定対象物との間に格別な吸着効果と滑り止め効果を発揮することができる。
【００２０】
(第５の実施の形態)
図１６に本発明の第５の実施の形態における巻尺テープの引っ掛け構造を示している。この実施の形態では、軟質ビニール層４の上部から軟質滑り止めチップ４８が延ばされている。このようにすることにより、第１、第３の実施の形態と同様の効果を奏することができ、特に、軟質滑り止めチップ４８が既述の軟質滑り止めチップ４５と同様に機能し、滑り止め引っ掛けチップ７が上位測定対象物を測定する時に、滑り止めとしての役割を十分に果たすことができる。
【００２１】
(第６の実施の形態)
図１７に本発明の第６の実施の形態における巻尺テープの引っ掛け構造を示している。この実施の形態では、Ｌ形引っ掛け金具３の垂直面から上向きのストッパー３２が延ばされて、このストッパー３２を含む垂直面の外周部分が軟質ビニール層４に包み込まれている。このようにすることにより、第１、第３の実施の形態と同様の効果を奏することができ、特に、軟質ビニール層４と測定対象物との間に格別な滑り止め効果を発揮することができ、その効果を前述の第５の実施の形態よりも高めることができる。
【００２２】
(第７の実施の形態)
図１８に本発明の第７の実施の形態における巻尺テープの引っ掛け構造を示している。この実施の形態では、軟質ビニール層４はチップ状に形成されて、引っ掛け金具３の内側に内層４１として貼り付けられている。また、この内層４１からテープ２の底面に沿って水平に延長面４１’が延ばされて、この部分がテープ２及び引っ掛け金具３と共にリベットで固定されている。このようにしても滑り止め引っ掛けチップ７に滑り止めの機能を持たせることができ、第１、第３の実施の形態と同様の効果を奏することができる。
【００２３】
(第８の実施の形態)
図１９乃至図２３に本発明の第８の実施の形態における巻尺テープの引っ掛け構造を示している。この実施の形態においても、巻尺１０の滑り止め引っ掛けチップ７はＬ形引っ掛け金具３、軟質ビニール層４及びシム６の３ユニットにより構成されている。その組合せ後の外観は図２０に示すとおりである。なお、他の実施の形態と同様に、シム６は単なる補助板なので、Ｌ形引っ掛け金具３とテープ２の結合が安定していれば、実施に影響しない限り、このパーツを省略しても構わない。図２１に示すように、Ｌ形引っ掛け金具３とシム６が上下からテープ２を挟んだ状態で、３者はリベットで止められている。Ｌ形引っ掛け金具３の水平面はテープ２と締結された状態で、その垂直面が測定対象物を固定するストッパー部分３３となっており、このストッパー部分３３の底部からチップ状の伸縮部分３４が延ばされている。この伸縮部分３４はストッパー部分３３より薄めに、また内側に彎曲した形が最も望ましく、その角度に応じて伸縮部分３４の彎曲応力を補強することができる。また、ストッパー部分３３と伸縮部分３４の内側に付着している軟質ビニール層４は、測定物に対して、滑り止めの機能を持ち、その断面を観察すると複合層のような構造を有している。このようにすることにより、図２２に示すように、巻尺１０の滑り止め引っ掛けチップ７を測定対象物の円形の測定ポイントに固定した時、Ｌ形引っ掛け金具３のストッパー部分３３、伸縮部分３４は測定対象物の平面上に当てられる。この時の伸縮部分３４は接触面積が大きくなるにつれて、大きな力を受けるようになるので、局所的に変形が発生して、軟質ビニール層４を測定対象物５１の表面に密着させると同時に、軟質ビニール層４を圧しつつ測定対象物５１との間にプラスの圧力を発生させる。これにより脱落防止の効果は一層強化され、広域の測定角度θ内において測定をする時でも、テープ２が滑落することがない。したがって、測定者はθ角度の範囲内で各種の傾斜角測定を実施することができ、水平角度にとらわれることがない。また、図２３に示すように、測定対象物５４の測定ポイントがやや大きめの曲面である場合、Ｌ形引っ掛け金具３のストッパー部３３はその曲面に届かないため、伸縮部分３４と軟質ビニール層４の組合せを利用して曲面との接触面積を広げ、一定のプラス圧力をかけて吸着及び滑り止めの効果を発揮する。但し、この時の測定では、テープ２の測定角度は水平であることが望ましい。
【００２４】
このように第８の実施の形態によれば、第１、第３の実施の形態と同様の作用効果を奏し、さらに、Ｌ形引っ掛け金具３の垂直面の底から伸びたチップ状の伸縮部分３４は、その内側または内、外、両側に軟質ビニール層４が付着され、両者を併せて複合式の延長チップとなり、これによって、円形対象物を測定する時に、伸縮部分４は滑り止め引っ掛けチップ７の補強チップとして、滑り止め引っ掛けチップ７が大きな力で折損したり、彎曲して変形するのを防止することができる。
【００２５】
(第９の実施の形態)
図２４に本発明の第９の実施の形態における巻尺テープの引っ掛け構造を示している。この実施の形態では、製作時の利便性を考慮して、軟質ビニール層４がストッパー部分３３と金属伸縮部分３４の内、外全体に被せられている。この構造上で注意すべきことは、金属伸縮部分３４が彎曲した時に、軟質ビニール層４の押し寄せ作用で彎曲の妨げとならないように、軟質ビニール層４の伸縮部分３４のコーナー上端外線部分に切口４０１を作る必要がある。このようにすることで、特に、絶好の被覆効果を発揮することができ、第８の実施の形態と同様の効果を奏することができる。
【００２６】
(第１０の実施の形態)
図２５及び図２６に本発明の第１０の実施の形態における巻尺テープの引っ掛け構造を示している。この実施の形態は、第９の実施の形態をさらに改良したもので、切口４０１の下に凸部分４０２が増設されている。この凸部分４０２が設けられたことにより、図２６に示すように、力の作用で金属の伸縮部分３４にある程度の彎曲が生じた場合、切口４０１の隙間は徐々に小さくなるため、凸部分４０２と切口３１上端部分の問で抵抗作用が働き、金属の伸縮部分３４の曲がり過ぎによる消耗もしくは永久変形を防止することができる。
【００２７】
(第１１の実施の形態)
図２７に本発明の第１１の実施の形態における巻尺テープの引っ掛け構造を示している。この実施の形態では、Ｌ形引っ掛け金具３と伸縮部分３５が異なる材質で構成されている。例えば、Ｌ形引っ掛け金具３は繊維強化プラスチック、伸縮部分３５は金属または塑性リードから各々構成され、Ｌ形引っ掛け金具３の底面に伸縮部分３５が固定接続されている。この場合、両者の固定方式は挿入方式または金型成型方式が選択可能である。なお、伸縮部分３５の材料にリードが採用された場合、リードがもつ強靭な特性が伸縮部分３５を折損から守り、滑り止め引っ掛けチップ７の生産をよりスムーズなものにすることができる。このようにしても第８の実施の形態と同様の作用効果を奏することができる。
【００２８】
(第１２の実施の形態)
図２８及び図２９に本発明の第１２の実施の形態における巻尺テープの引っ掛け構造を示している。この実施の形態では、シム６が材質の硬い金属チップからできており、これがＬ形引っ掛け金具３とテープ２と共にリベットで締結されている。また、Ｌ形引っ掛け金具３の外側は繊維強化プラスチック製のＬ形の保護ブロック２０で覆われている。伸縮部分３５は伸縮性リードで、保護ブロック２０の垂直面底部に固定され、保護ブロック２０の垂直面と伸縮部分３５の外周が軟質ビニール層４により包み込まれている。なお、Ｌ形引っ掛け金具３表面の保護ブロック２０は、テープ２及び伸縮部分３５の挿入に合わせて、各種彎曲角度及び窪み、穴を射出成型により迅速に加工できるほか、その外周の軟質ビニール層４の装着も簡単で密着性のある仕上げになるため、保護ブロック２０はその塑性の良さで滑り止め引っ掛けチップ７の製造を手助けしているといえる。
【００２９】
(第１３の実施の形態)
図３０乃至図３２に本発明の第１３の実施の形態における巻尺テープの引っ掛け構造を示している。この実施の形態では、第８の実施の形態で説明した巻尺１０と異なり、テープ２の先端にＬ形引っ掛け金具３の折り返し角を収納できる凹部分２１が設けられ、滑り止め引っ掛けチップ７の前面エッジとテープ２の前面エッジがともに揃っている。また、Ｌ形引っ掛け金具３の垂直面にマグネット８が嵌入されて、引っ掛けチップ７と金属性の測定対象物との間に磁気吸着作用が働くようになっている。さらに、Ｌ形引っ掛け金具３の水平面には二つの楕円形穴３６があり、テープ２、シム６の両端を締結する際のリベット８１、リベット８２が打ち込まれるようになっている。このようにすると、図３２に示すように、円形対象物５３を測定する時に、テープ２が使用者の引っ張る力で伸縮する。滑り止め引っ掛けチップ７は測定対象物５３の開始端に固定されており、Ｌ形引っ掛け金具３の水平面には楕円形穴３６があるため、Ｌ形引っ掛け金具３は力を受けるとその反対方向に向かって、リベット８１が楕円形穴３６と接触するまで移動する。この時、軟質ビニール層４の内側はちょうどテープ２の先端と並んだ状態になり、さらにテープ２の先端目盛は「０」となっているため、軟質ビニール層４の内側と接触した測定対象物５３は数値「０」を基準として長さを測定することになる。このようにしても、第８の実施の形態と同様の作用効果を奏することができる。
【００３０】
本発明に関する説明は上述の通りで、関連図面の詳細はこの後に述べるものとする。業者は本発明の要旨を超えない範囲において各種変更を行うことを可とする。したがって、本発明における関連構造の実施形態を利用した場合は、本発明の要旨を超えない同等の変更実施例である限り、全て本発明の範疇に含まれるものである。
【図面の簡単な説明】
【００３１】
【図１】本発明の第１の実施の形態における巻尺テープの引っ掛け構造の全体構成を示す一部分解斜視図である。
【図２】同実施の形態における巻尺テープの引っ掛け構造の全体構成を示す斜視図である。
【図３】同実施の形態における巻尺テープの引っ掛け構造に使用する引っ掛けチップを示す断面図である。
【図４】同実施の形態における巻尺テープの引っ掛け構造に使用する別の引っ掛けチップを示す斜視図である。
【図５】同実施の形態における巻尺テープの引っ掛け構造に使用する別の引っ掛けチップを示す断面図（図４の断面図）である。
【図６】本発明の第２の実施の形態における巻尺テープの引っ掛け構造に使用する引っ掛けチップを示す断面図である。
【図７】本発明の第１、第２の実施の形態における巻尺テープの引っ掛け構造による測定態様を示す断面図である。
【図８】本発明の第１、第２の実施の形態における巻尺テープの引っ掛け構造による別の測定態様を示す断面図である。
【図９】本発明の第３の実施の形態における巻尺テープの引っ掛け構造に使用する引っ掛けチップを示す断面図である。
【図１０】同実施の形態における巻尺テープの引っ掛け構造による測定態様を示す断面図である。
【図１１】同実施の形態における巻尺テープの引っ掛け構造による別の測定態様を示す断面図である。
【図１２】同実施の形態における巻尺テープの引っ掛け構造によるさらに別の測定態様を示す断面図である。
【図１３】同実施の形態における巻尺テープの引っ掛け構造によるまたさらに別の測定態様を示す断面図である。
【図１４】本発明の第４の実施の形態における巻尺テープの引っ掛け構造に使用する引っ掛けチップを示す断面図である。
【図１５】本発明の第４の実施の形態における巻尺テープの引っ掛け構造に使用する別の引っ掛けチップを示す断面図である。
【図１６】本発明の第５の実施の形態における巻尺テープの引っ掛け構造に使用する引っ掛けチップを示す断面図である。
【図１７】本発明の第６の実施の形態における巻尺テープの引っ掛け構造に使用する引っ掛けチップを示す断面図である。
【図１８】本発明の第７の実施の形態における巻尺テープの引っ掛け構造に使用する引っ掛けチップを示す断面図である。
【図１９】本発明の第８の実施の形態における巻尺テープの引っ掛け構造の全体構成を示す一部分解斜視図である。
【図２０】同実施の形態における巻尺テープの引っ掛け構造の全体構成を示す斜視図である。
【図２１】同実施の形態における巻尺テープの引っ掛け構造に使用する引っ掛けチップを示す断面図である。
【図２２】同実施の形態における巻尺テープの引っ掛け構造による測定態様を示す断面図である。
【図２３】同実施の形態における巻尺テープの引っ掛け構造による別の測定態様を示す断面図である。
【図２４】本発明の第９の実施の形態における巻尺テープの引っ掛け構造に使用する引っ掛けチップを示す断面図である。
【図２５】本発明の第１０の実施の形態における巻尺テープの引っ掛け構造に使用する引っ掛けチップを示す断面図である。
【図２６】同実施の形態における巻尺テープの引っ掛け構造による測定態様を示す断面図である。
【図２７】本発明の第１１の実施の形態における巻尺テープの引っ掛け構造に使用する引っ掛けチップを示す断面図である。
【図２８】本発明の第１２の実施の形態における巻尺テープの引っ掛け構造の全体構成を示す一部分解斜視図である。
【図２９】同実施の形態における巻尺テープの引っ掛け構造に使用する引っ掛けチップを示す断面図である。
【図３０】本発明の第１３の実施の形態における巻尺テープの引っ掛け構造の全体構成を示す一部分解斜視図である。
【図３１】同実施の形態における巻尺テープの引っ掛け構造に使用する引っ掛けチップを示す断面図である。
【図３２】同実施の形態における巻尺テープの引っ掛け構造による測定態様を示す断面図である。
【図３３】従来の巻尺テープの引っ掛け構造の一例を示す断面図である。
【図３４】従来の巻尺テープの引っ掛け構造の別の例を示す断面図である。
【図３５】従来の巻尺テープの引っ掛け構造のさらに別の例を示す断面図である。
【符号の説明】
【００３２】
１０  巻尺
１  ケース
２  テープ
２１  凹部分
３  Ｌ形引っ掛け金具
３１  穴
３２  ストッパー
３３  ストッパー部分
３４  伸縮部分
３５  伸縮部分
３６  楕円形穴
４  伸縮性を有する軟性の滑り止め部材（軟質ビニール層）
４０１  切口
４０２  凸部分
４１  内層
４１’  延長面
４２  両側層
４３  底層
４４  外層
４５  軟質滑り止めチップ
４６  エア・スペース
４７  凸粒子
４８  滑り止めチップ
４９  滑り止めカバー
５１  デスクコーナー
５２  円形基準点（面）
５３  円周基準点（面）
５４  球面基準点（面）
５５  パイプ状測定物基準点（面）
６  シム
７  滑り止め引っ掛けチップ
８  マグネット
８１、８２  リベット
９１  Ｌ形引っ掛け金具
９２  テープ
９３  シム
９４  引っ掛けフック
９５  定位釘
【図１】
2005114703.tif 000003
【図２】
2005114703.tif 000004
【図３】
2005114703.tif 000005
【図４】
2005114703.tif 000006
【図５】
2005114703.tif 000007
【図６】
2005114703.tif 000008
【図７】
2005114703.tif 000009
【図８】
2005114703.tif 000010
【図９】
2005114703.tif 000011
【図１０】
2005114703.tif 000012
【図１１】
2005114703.tif 000013
【図１２】
2005114703.tif 000014
【図１３】
2005114703.tif 000015
【図１４】
2005114703.tif 000016
【図１５】
2005114703.tif 000017
【図１６】
2005114703.tif 000018
【図１７】
2005114703.tif 000019
【図１８】
2005114703.tif 000020
【図１９】
2005114703.tif 000021
【図２０】
2005114703.tif 000022
【図２１】
2005114703.tif 000023
【図２２】
2005114703.tif 000024
【図２３】
2005114703.tif 000025
【図２４】
2005114703.tif 000026
【図２５】
2005114703.tif 000027
【図２６】
2005114703.tif 000028
【図２７】
2005114703.tif 000029
【図２８】
2005114703.tif 000030
【図２９】
2005114703.tif 000031
【図３０】
2005114703.tif 000032
【図３１】
2005114703.tif 000033
【図３２】
2005114703.tif 000034
【図３３】
2005114703.tif 000035
【図３４】
2005114703.tif 000036
【図３５】
2005114703.tif 000037